Podtech/llm-jp-corpus-v4-ja_patent huggingface dataset:
(57)【要約】【課題】早打ちソフト等の専用ソフト使用時しか効果音を楽しめなかったが、常時、言葉や効果音を発信することができるようにする。【解決手段】キーボード単独で言葉や効果音を発信できるようにする。【選択図】なし【特許請求の範囲】
【請求項１】
パソコンを経由しないでもキーボード単独で言葉や効果音を発信することが出来るパソコンキーボード。
【請求項２】
自分で音を設定して楽器の様に遊ぶことも出来るパソコンキーボード。
【請求項３】
パソコンから専用ソフトを使用して音を取り込め、様々な需要に対応出来るパソコンキーボード。
【請求項４】
パソコン１台を複数人で使用する場合は使用する人仕様の音源に切り替えたり消音にも出来るパソコンキーボード。
【発明の詳細な説明】
【発明の詳細な説明】
【技術分野】
【０００１】パソコンを経由しないでもキーボード単独で言葉や効果音を発信することが出来るようにした。
【背景技術】
【０００２】従来、早打ちソフト等の専用ソフト使用時しか効果音を楽しめなかった。
【発明を実施するための最良の形態】
【０００３】本発明は、パソコンを経由せずにキーボード単独で言葉や効果音を発信できるようにしたため、どんなソフトを使用していても自分好みの言葉や効果音でより楽しく、分かり易く入力等が出来るようにした。
【発明の効果】
【０００４】このようにすれば、子供や目の悪い老人やパソコン初心者など、より大勢の人々がパソコンを容易に楽しく利用可能となる。
(57)【要約】      （修正有）【課題】  周りの植物とも調和して、美観を損ねることもなく、廃棄時には自然分解されるため、間伐材や廃材の利用にもつながる、園芸用木製ネームラベルを提供することが目的である。【解決手段】  園芸用ラベル本体（１）の材質に天然木を使用し、表面を焼くことで、木目の風合いと、本体頭部（２）の角に自然な丸みを持たせる。  また、両面に絵柄（４）を施し、本体先端部（３）の幅を徐々に狭め、先を尖らせることで、土中に容易に差し込めるようにしたことを特徴とする、園芸用木製ネームラベルを提供する。【選択図】    図１
2006340704.tif 000002
【特許請求の範囲】
【請求項１】
園芸用ラベル本体（１）の材質に天然木を使用し、表面を焼き、木目の風合いを生かした、園芸用木製ネームラベル。
【請求項２】
本体頭部（２）の角を焦がし、自然な丸みを設けた請求項１の園芸用木製ネームラベル。
【請求項３】
本体先端部（３）は、幅を徐々に狭めて先を尖らせることで、土中に容易に差し込めるようにした、請求項１の園芸用木製ネームラベル。
【請求項４】
園芸用ラベル本体（１）に、絵柄（４）を施し、装飾性を持たせた、請求項１の園芸用木製ネームラベル
【発明の詳細な説明】
【発明の詳細な説明】
【技術分野】
【０００１】  この発明は、焼いた天然木を使用し、木目の風合いと、角の自然な丸みを生かすと共に、先端部の先を尖らせ、絵柄を施した、園芸用木製ネームラベルに関するものである。
【背景技術】
【０００２】  従来技術の園芸用ラベルは、塩化ビニール製等、人工素材が材質に使用されていた。
【発明が解決しようとする課題】
【０００３】これは、次のような問題点があった。
（イ）人に人工的な冷たい印象を与え、味気ないものであった。
（ロ）単に、植物の名前等を記入する、ラベルとしての機能の利点のみを追求したもので、装飾性を兼ね備えたものではなかった。
（ハ）廃棄時の地球環境への負荷が大きかった。
本発明は、以上のような課題をなくす目的でなされたものである。
【発明が解決するための手段】
【０００４】  園芸用ラベル本体（１）の材質に天然木を使用し、表面を軽く焼いて、木目の風合いを出すと共に、本体頭部（２）の角を焦がして、自然で優しい丸みを設ける。
また、本体先端部（３）に向かって、幅を徐々に狭めて先を尖らせ、園芸用ラベル本体（１）両面の上部にワンポイントの絵柄（４）を施す。
本発明は、以上の構成よりなる木製園芸用ネームラベルである。
【発明の効果】
【０００５】  天然木の持つ木目の美しさや温もり、自然で優しい木の角の丸み等の風合いが、人に温かな印象を与え、心を癒すと共に、園芸福祉効果を、よりいっそう向上させる。
観葉植物や草花とも調和して、周りの美観を損ねることがない。
また、ただ単に植物の名前を記入して利用する、ネームラベルの用途以外に、絵柄を施し装飾性を持たせた、おしゃれでかわいい雰囲気が、ガーデニングのアクセントとしての機能も併せ持つ。
つまり、植物の陰で、できるだけ目立たないように使用していた従来の園芸用ラベルとは違い、ラベル自体をひとつの装飾品として扱い、癒し効果の向上を図る。
利用後、裏面に再度、名前等を記入することで、二度利用することが可能である。
その他、同時に両面を使用すれば、テーブルの中央等に植物を置いた場合も、周囲から名前等を見ることができる。
間伐材や廃材の利用にもつながり、最終的に廃棄する時には、自然分解できるため、地球環境に対する負荷も小さい。
以上のような園芸用木製ネームラベルを提供することができる。
【発明を実施する為の最良の形態】
【０００６】  以下、本発明の実施の形態について説明する。
園芸用ラベル本体（１）は、厚さ約２〜５ミリの天然木を使用し、表面を軽く焼くことで、木目の風合いを鮮明に浮き出させる。
植木鉢やプランターの大きさに合わせて、幅約２〜４センチ・長さ約１２〜２３センチの長方形に板を切る。その際、本体頭部（２）になる部分の角を丸く切り落とす。
次に、本体先端部（３）になる部分の幅を、徐々に狭めるように、両方の側面を切り落とし、先を尖らせる。
バーナーで、  園芸用ラベル本体（１）の縁を焼いて焦がし、本体頭部（２）の角には、より自然な丸みを帯びさせる。
水につけた後、乾いた布で擦り、表面の墨を十分おとし、乾燥後、木工用艶出しニスを塗る。
園芸用ラベル本体（１）上部の両面に、油性カラーペンで、ワンポイントの絵柄（４）を施した、園芸用木製ネームラベルである。
本発明は、以上のような構造を持ち、これを使用する時は、園芸用ラベル本体（１）に、白色の油性ペンを使用して、植物の名前等を記入し、植木鉢やプランターの土面に、本体先端部（３）を差し込み利用する。
【図面の簡単な説明】
【図１】  「本発明の本体、表を示した斜視図である。」
【図２】  「本発明の本体、裏を示した斜視図である。」
【図３】  「本発明の使用例である。」
【符号の説明】
１、園芸用ラベル本体
２、本体頭部
３、本体先端部
４、絵柄
【図１】
2006340704.tif 000003
【図２】
2006340704.tif 000004
【図３】
2006340704.tif 000005
(57)【要約】【課題】従来からの釜揚しらすの製法は、漁師が獲った生しらすを釜茹でし、薄い木箱などに充填に水を切り冷凍することでブロック状態のまま保管および流通をさせていた。また、しらす干しは釜揚しらすを天日や乾燥機で乾燥して生産する。しかし、軟弱な原料であるため、生しらす時点および釜揚や乾燥時でも異物を取ることが難しかった。同じ理由で長時間のボイルなどで細菌を減らすことも難しかった。この異物を取り細菌数を減らし衛生面を確保し、さらに産業給食などで使用する際の使い勝手を向上することが課題であった。【解決手段】原料に上干ちりめん（水分比率約３５％）などの、良く乾燥され取り扱いやすいちりめんから異物を除去し、これを原料として、清水に浸漬し、アミノ酸、食塩などを加えた後、十分にボイル殺菌し、ＩＱＦ（バラ凍結）することにより、異物がなく衛生的で、取り扱いやすい冷凍しらすとした。【選択図】図１
2006340701.tif 000002
【特許請求の範囲】
【請求項１】
原料に上干ちりめん（カタクチイワシの稚魚をボイルし水分含有量約３５％程度にまで乾燥させたもの）または十分に乾燥させたちりめんを原料に用いて、異物のない衛生的なＩＱＦ（バラ凍結）した冷凍しらすの製造方法。
【請求項２】
請求項１の工程で、原料を調味液に浸漬し、ＩＱＦ（バラ凍結）した冷凍味付しらすの製造方法。
【発明の詳細な説明】
【技術分野】
【０００１】この発明は、従来よりある釜揚しらすや、釜揚しらすを乾燥させて作る、しらす干しを、現在の産業給食などで用いられるように、異物をなくし、衛生的に生産することを目的とした。原料に上干ちりめん（水分比率約３５％）を用い、扱いやすい上干ちりめんの時点で、異物を除去した。この異物を除去したちりめんを原料に用い、清水浸漬後、アミノ酸、食塩を加えさらに浸漬し水分を戻した。つぎに十分にボイル、脱水の後にＩＱＦ（バラ凍結）し製造する、冷凍しらすの製造方法に関するものである。
加えて、浸漬に調味液をもちいて味をつけた後に、ＩＱＦ（バラ凍結）する冷凍味付しらすの製造方法に関するものである。
【発明の開示】
【発明が解決しようする課題】
【０００２】従来のしらすは、漁師が近海において収穫した、生しらすを釜揚し、薄い木箱などに充填し水を切り、ブロック状態のまま冷凍保管し流通させている。さらに、釜揚しらすを天日乾燥や機械乾燥させて、しらす干しを生産している。
しかし、近年の海洋汚染などで、生しらすの原料にも異物が含まれ、加工工程においても、柔らかく扱いの難しい釜揚しらすの異物を除くことは、生しらすの状態および釜揚や乾燥工程上でも軟弱な原料および商品であるために、難しかった。衛生面でも、軟弱な原料であるために、ボイルなどの殺菌工程が十分に取れず、細菌数を減らし衛生面の向上を図ることも難しかった。発明はこれらの欠点を除くためになされたものである。
【課題を解決するための手段】
【０００３】原料に上干ちりめん（水分比率約３５％）などの既に十分に乾燥されたちりめんを用いた。十分に乾燥されたちりめんは扱いやすく、この上干ちりめんの時点で異物を除去した。異物を除去したちりめんを清水に浸漬し水戻しする、次に、アミノ酸等、食塩に浸漬した後に十分にボイルし殺菌した。この殺菌済みのちりめんをネット袋に充填し、脱水。脱水の後にマイナス３５℃の冷凍機（トンネルフリーザー）でＩＱＦ（バラ凍結）し冷凍しらすとした。
【発明の効果】
【０００４】本発明は以上のようであり、異物が無く衛生的で味と食感が良い食材である、冷凍しらすを実現した。調理済冷凍食品であるために長期保存が利き、さらにＩＱＦ（バラ凍結）であるために、必要な時に必要な分量のみを使うことが出来る便利な商品となった。
この製法の浸漬工程で調味液に浸漬し味を付けた後に凍結したものを、冷凍味付しらすとした。
【発明を実施するための最良の形態】
【０００５】以下、本発明の実施の形態について説明する。
原料に上干ちりめんを用いる。上干ちりめんは乾燥が十分であるために取扱がしやすく異物を取り易い。この異物を取ったちりめんを清水で水戻しする。
この水戻ししたちりめんを、さらにアミノ酸と食塩を加えた水に浸漬する。これを十分にボイル殺菌した後に、ＩＱＦ急速冷凍する。
【実施例】
【０００６】原料にインドネシア産上干ちりめんを用いる。この上干ちりめんは現地で人手により異物を完全に近く取ったものである。この上干ちりめんをタンクで清水に浸漬し水戻しする。ある程度の水戻しの後に、アミノ酸等と食塩を溶解した水に浸漬する。浸漬した後に十分にボイルし殺菌する。殺菌したちりめんをネット袋に充填し、脱水機にかけ脱水した後に、トンネルフリーザーを用い、マイナス３５℃で急速凍結し、ＩＱＦ（バラ凍結）冷凍しらすとする。
【図面の簡単な説明】
【０００７】
【図１】工程図
【図１】
2006340701.tif 000003
(57)【要約】【課題】  従来の釣りおもり１３は海底６の砂地を小突いて砂９交じりの海水を上方に舞い上げる機能はなかった。釣りおもり１３の落下着地するときの水圧でまわりの砂９が四方に飛び散るのみであった。【解決手段】  釣りおもり１の底部から上部にかけて貫かれた先細りの貫通孔４で貫通孔上部口２の面積より貫通孔底部口３の面積を広く設けたことで、釣りおもり１を上下して小突いたとき貫通孔４内部の砂９交じりの海水は圧縮され加圧されて貫通孔上部口２より砂９交じりの海水が舞い上がる機能が生まれた。【選択図】    図１
2006340706.tif 000002
【特許請求の範囲】
【請求項１】
釣りおもり１の底部から上部方向に向けて貫かれた先細りの貫通孔４で貫通孔上部口２の面積より貫通孔底部口３の面積を広く設けたことを特徴とする釣りおもり。
【発明の詳細な説明】
【技術分野】
【０００１】  本発明は釣りおもりで海底の砂を小突いて砂を舞い上げ集魚効果の向上に関するものである
【背景技術】
【０００２】  従来釣り人はカレイ等の底魚を釣るときは図４のように海底６の砂地まで釣り具の片天秤仕掛け１２を垂らし、片天秤仕掛け１２に取り付けた釣りおもり１３で何回も上下させて砂地を小突く。小突かれた砂地は砂９煙りを四方にたてる。するとカレイ等の習性で砂９煙りに興味を示して集まってくる。このようにして釣りおもりで海底の砂地を小突いて砂煙りをたてる小突き漁法がある。【０００３】  これまでの釣りおもりの中でコイルスプリングを設けて砂煙りを舞い上げようとするものがあります。
（例えば特許文献１参照）【０００４】
【特許文献１】  特開平６−３０３８８５
【発明の開示】
【発明が解決しようとする課題】
【０００５】  従来の釣りおもり１３は海底６の砂を小突いて釣りおもり１３が落下着地するときの水圧で砂９煙りを四方に散らすだけで上方に舞い上げる機能はなかった。
本発明はこのような問題点を鑑みて海底の砂を上方に効率よく舞い上げ、いかにして魚に興味を示させるかを目的に発明したものである
【課題を解決するための手段】
【０００６】  図１は本発明の上記目的を達成するために釣りおもり１の底部から上部に向けて貫かれた先細りの貫通孔４で貫通孔上部口２より貫通孔底部口３の面積を広く設けたものである【０００７】  図２は釣りおもり１で海底６の砂地を小突いて貫通孔４内部に砂９交じりの海水が充満している図で、釣り糸７を海底６までたらし、片天秤仕掛け８に取り付けた釣りおもり１が海底６の砂地を小突いて落下着地したとき、貫通孔底部口３から取り入れた海水は貫通孔上部口２が先細りになっているため貫通孔４内部の海水が圧縮され加圧される。そして貫通孔上部口２は圧力の逃げ道であると同時に砂９交じりの海水の噴き出し口となる。【０００８】  もし仮に図３のように貫通孔底部口１５の面積と貫通孔上部口１４の面積が等しくストレートな管の貫通孔１６であれば、いくら釣りおもり１７で海底の砂地を小突いても貫通孔底部口１５から取り入れた砂９交じりの海水は貫通孔上部口１４で圧縮され、加圧されることはない。従ってこの釣りおもり１７は貫通孔１６内部の海水を圧縮して加圧できないので砂交じりの海水を上方に噴き上げる機能はない。
本発明の貫通孔が先細りの管であれば砂交じりの海水を勢いよく上方に舞い上げる機能が生まれる。
この点が本発明の重要な要素である。
【発明を実施するための最良の形態】
【０００９】  以下図面に基づいて本発明に係る釣りおもりについてを説明する。図２で釣り糸７の下に吊り下げられた釣り具の片天秤仕掛け８に釣り針１０と釣りおもり１は留め具５をへて装着されている。【００１０】  この釣りおもりを使用するときは釣り針１０に餌１１をつけ釣り具の片天秤仕掛け８を海底６の砂地まで垂らし釣り糸７を上下して何回も小突く。、着地したとき貫通孔４内部の海水が圧縮され圧力が高まることにより砂９交じりの海水を貫通孔上部口２から上方に舞い上げることができる。【００１１】  釣りおもり１を小突くたびに貫通孔上部口２から砂９交じりの海水が舞い上がる。この砂９煙りを発見した魚が集まってきて餌の食いつきがよくなる。
【発明の効果】
【００１２】  図４は従来の釣りおもり１３で、海底６の砂地を小突いて砂９煙りを上方に舞い上げる機能はなかった。そこで本発明の釣りおもり１の貫通孔底部口３から貫通孔上部口２に向けて先細りの貫通孔４を設けることで砂交じりの海水を上方に舞い上げる機能ができた。
【００１３】  昨年潜水したとき意外な発見がありました。海底の砂を手ですくって手のひらから少しづつこぼしたところ、どこからともなくフグが多数集まってきました。そして砂がなくなると散っていなくなり、再び砂をすくって手のひらからこぼすと、またどこからともなく集まってくるのです。何度繰り返しても同じでした。砂煙りに興味を示すのはそこに餌があると思い集まってくるとしか考えられません。カレイ釣りをしているとフグも釣れるのはそういうことだと思いました。
【００１４】  昔からカレイ釣りの漁師さんはカレイは「小突けば小突くほど釣れる」といいます。それは砂煙りがたつところにカレイが興味を示し、そこに餌があると思い集まってくるからです。釣りおもりで海底の砂地を小突いて、より多く砂煙りを舞い上げ集魚の効率をはかることはカレイの習性を利用した小突き漁法として理にかなっています。
このように砂煙りを上方に舞い上げ魚にアピールすることは集魚方法として非常に大きい効果があります。
【図面の簡単な説明】
【００１５】
【図１】    本発明の実施形態を示す釣りおもりの正面図
【図２】    本発明の釣りおもりの使用状態を示す側面断面図
【図３】    本発明の図１と比較するための正面断面図
【図４】    従来の釣りおもりの使用状態を示す斜視図
【符号の説明】
【００１６】１    釣りおもり
２    貫通孔上部口
３    貫通孔底部口
４    貫通孔
５    留め具
６    海底
７    釣り糸
８    片天秤仕掛け
９    砂
１０  釣り針
１１  餌
１２  片天秤仕掛け
１３  釣りおもり
１４  貫通孔上部口
１５  貫通孔底部口
１６  貫通孔
１７  釣りおもり
【図１】
2006340706.tif 000003
【図２】
2006340706.tif 000004
【図３】
2006340706.tif 000005
【図４】
2006340706.tif 000006
(57)【要約】【課題】古来よりメンマは竹の子（麻竹／マチク）を収穫してボイルし、大きな竹篭に密封し、自然乳酸発酵をさせて作る発酵メンマの、保存性を確保するために、天日乾燥や塩蔵としたものである。味付メンマ（調理済メンマ）は、この乾燥または塩蔵されたメンマを原料とし、数日間の水晒しとボイル作業を通して、水戻しをしてから調理し味をつけ食品としている。しかし、乾燥や塩蔵工程を経ているために、保存性は高まるが筋が残り、本来の味と食感は失われていた。以上の水戻し作業の軽減とメンマ本来の味の追求および調理済メンマを使用する際の保存性と簡便性を課題とした。【解決手段】味付メンマの原料に発酵メンマまたは発酵メンマを乾燥や塩蔵をせずに作る冷凍水煮メンマを用い、耐熱性および冷凍性に優れた袋に調味液と共にメンマを充填し、真空包装し、殺菌の後に凍結して、冷凍味付メンマとした。【選択図】図１
2006340702.tif 000002
【特許請求の範囲】
【請求項１】
発酵した麻竹（発酵メンマ）を原料に用い、千切り、平切り、等にカットおよびスライスし、水晒しブランチングまたはボイルし、乳酸を除いた後に、調味液と共に袋に入れ、真空パックし、殺菌し冷凍することにより製造する冷凍味付メンマの製造方法。
【請求項２】
請求項１の工程で、乾燥や塩蔵をせずに作る冷凍水煮メンマを原料として用い製造する冷凍味付メンマの製造方法。
【発明の詳細な説明】
【技術分野】
【０００１】この発明は、古来よりある乾燥メンマまたは塩蔵メンマを用いず、乾燥または塩蔵前の自然乳酸発酵した麻竹（発酵メンマ）を原料に用い、発酵メンマと調味液を袋に充填し真空パックし、ボイル殺菌の後に凍結することにより製造する冷凍味付メンマ（冷凍調理済メンマ）の製造方法に関するものである。
【発明の開示】
【発明が解決しようする課題】
【０００２】メンマは約１ｍに成長した竹の子（麻竹／マチク）を収穫し、ボイルし皮と節を除去してから、放冷後、竹篭にビニールで密閉し、約１〜２ヶ月掛け自然乳酸醗酵を行う。その後、天日乾燥または塩蔵によって乳酸醗酵を止め保存性を確保する。これが従来の原料メンマの製法である。この乾燥メンマまたは塩蔵メンマを原料として、業務用または市販用食品としての味付メンマを製造する場合、長時間に渡る水晒し、ボイル作業によって乾燥戻し、塩蔵戻しを行い、その後調理し、ｐＨ調整液、保存料を添加し、真空パックにより脱気密封後加熱殺菌して、味付メンマとして商品化する。
従来の乾燥メンマや塩蔵メンマを原料とした味付メンマには次のような欠点があった。
（イ）  乾燥または塩蔵することにより、乾燥戻しや塩蔵戻しの後に、筋が残ると同時に歯切れが悪いものが混じる。
（ロ）  乾燥または塩蔵された原料メンマは、生産の工程で、乾燥戻し、塩蔵戻しに多大な手間と時間と費用が掛かる。
（ハ）  乾燥戻し、塩蔵戻しの工程により、メンマ本来の旨み成分が流失してしまう。
（ニ）  市販用食品または業務用食品として味付メンマ（チルド流通）を製造する工程で、保存性を高める為にｐＨ調整料や保存料を添加するが、これによって、メンマ本来の味を阻害している。
本発明はこれらの欠点を除くためになされたものである。
【課題を解決するための手段】
【０００３】味付メンマの原料に発酵メンマまたは発酵メンマを乾燥や塩蔵をせずに作る冷凍水煮メンマを用い、耐熱性および冷凍性に優れた袋に調味液と共に発酵メンマを充填し、真空包装し、加熱殺菌の後に凍結して、冷凍味付メンマとした。
【発明の効果】
【０００４】本発明は以上のようであり、発酵メンマまたは乾燥や塩蔵をせずに作る冷凍水煮メンマを原料に用い、袋調理の後に凍結することにより、筋が無くメンマ本来の味と食感を実現し、美味しい簡便性保存性のある冷凍調理済食品とした。
【発明を実施するための最良の形態】
【０００５】以下、本発明の実施の形態について説明する。
発酵メンマを水に晒して乳酸を取る。次にカットしてさらに水晒しを行いボイルし乳酸発酵を止める。これを調味液と共に袋に充填し真空パックする。この密閉容器入りのメンマを過熱し殺菌する。次に冷却し急速凍結することにより冷凍味付メンマ（冷凍調理済メンマ）とした。
【実施例】
【０００６】原料の発酵メンマをタンクで流水にて水晒し乳酸を取る。これを規定の大きさにカットし選別し異物や侠雑物を除去し、さらに水晒しする。再度選別の後にボイルし乳酸発酵を止め冷却する。冷凍水煮メンマを原料として用いる場合は、解凍の後に、この時点から同一の工程で製造する。
次に脱水機により脱水し、最終選別を行う。これを耐熱性および冷凍耐性のある袋に調味液と共に充填し真空包装する。この密閉容器入りの調味液入メンマを加熱殺菌し冷却の後に急速冷凍し冷凍味付メンマとした。
【図面の簡単な説明】
【０００７】
【図１】工程図
【図１】
2006340702.tif 000003
(57)【要約】      （修正有）【課題】室内で使用し、複数段の棚板上に植木鉢を乗せる花壇であって、植木や花にかけた水が、花壇の外の床にこぼれない花壇を提供する。【解決手段】複数段の棚板を有し、該棚板上に植木鉢を乗せる花壇において、各棚板の左右両面と後面の３方にウォーターガードフェンスを取り付け、各棚板には、水が中央に集まるように水が流れる程度の勾配をつけた流水道を設ける。該流水道の水はその下段の流水道に落ちるようにし、一番下の棚板の水が落ちる所には水取り容器を置く。【選択図】図１
2006340703.tif 000002
【特許請求の範囲】
【請求項１】
花壇を室内に使用して水がこぼれない様にするには花や植木を乗せる段板に勾配のある流水道を作り段板の左右から勾配で中央へ水を集め前に勾配を付け植木鉢にかける水が零れないように高さ広さを充分にとり室内用集水式花壇の製作法とする。  本願書は不要になったポリ容器やプラスティックの不要物等でもリサイクルや安いコストで外塗りし製作する。
【発明の詳細な説明】
【発明の詳細な説明】
植物を花壇で観賞用に室内へ置きたい場合何日間に１度は必ず水を与えるのが必要である、しかし花壇の下が水びたしになってはならない所が沢山あるが水を充分に掛けても下の床が水で濡れてしまう事がなくなる様にした。  花壇はそれぞれ段数が違い大きさも形も色々あるがその花壇にあったサイズのウォーターガードフェンスを取り付ける、左右両面と後面の３方に取り付けると第１図、１にあるウォーターガードフェンスを取り付ける事で床面に水が落ちるのをガードフェンスで受け止め水漏れを防ぐ。  現在ある花壇の段板では水がどこからでも落ちてしまうので各段全部に流水道を刻み込み水が流れる程度の勾配で作り流水道でその段その段の水を両端から中央に集め、下段、下段へと水を落とし何段あっても一番下の段の水を落とす所に水取り容器を置くと、水掛けをした室の中でも水を零さず花や植木等に水で室が濡れる心配なしで観賞出来る。  ウォーターガードフェンスを取り付ける事により花や植木に公共の場所や観賞したい部屋の中でも水掛けが心配なく出来る今まで水で濡らしてはならない場所でも自由に花壇を置き心配なく水掛けをして観賞できる。第３図、３は棚板補強材でこの部分は棚板上に置く花や植木鉢に水を掛けてもその重さに耐えられる程度の強さに製作する。  プラスチック等で棚板を製作した場合、重さがその棚板に長時間かかると、棚板に少したゆみが出るので棚板に水掛けをしたい時も安心して水掛けが出来る様に棚板をたゆみが来なく強くする為に、その棚板に的した針金2006340703.tif 000003
小さな針金でたゆみの来ない、中垂れするのにも強い力のついた棚板が製作出来るので、強い棚板を製作したい場合、針金を入れて製作する。
【図面の簡単な説明】
【図１】は、本発明を示す室内用集水式花壇第１図は斜視図
【図２】は第１図Ａ……Ａ線に沿った断面図、
【図３】は第１図Ｂ……Ｂ線に沿った断面図  第１図、１……ガードフェンス、２……フェンス用柱、３……棚板、４……棚板補強材、５……棚受け台補強筋違い、６……棚受け台、７……棚板止め用ホゾ、８……筋違い用中心カシメ釘、９……筋違い、１０……棚受け台振れ止め、１１……蝶ネジ、１２……ガードフェンス組み立て用キャップ  １３……筋違いナット絞め用穴  第２図、第１図Ａ……Ａ線に沿った断面図  １……ガードフェンスのビニール、２……棚板止め用ホゾ穴、３……筋違いナット絞め用穴、４……棚板上面小流水道、５……棚板の厚さ、６……蝶ネジ、７……棚受け台  ８……棚板補強用針金、第３図、第１図Ｂ……Ｂ線に沿った断面図  １……ガードフェンス柱立て用穴、２……中央流水道、３……棚板補強材、４……流水道、５……棚板止め用ホゾ穴  ６……棚板補強用針金、
【図１】
2006340703.tif 000004
【図２】
2006340703.tif 000005
【図３】
2006340703.tif 000006
(57)【要約】【課題】この発明は犬の散歩の途中のマーキングにおける排尿を着地前に採尿可能とし、しかも素早く的確に犬の採尿に対応でき、戸外の樹木や電柱等を汚染させることのないシートを取替え可能にしたことを特徴にするものである。【解決手段】伸縮可能なバー１の先端にクリップ２を設け、一枚又は複数枚のマーキングシート９を取替え可能に取り付け、雄犬の散歩及び外室の途中の排尿の際、上げた後ろ足の前に差し出し尿を着地前に、採尿することにより、戸外の樹木や電柱等を汚染することなく、衛生面の向上及び、環境美化に寄与するものである。【選択図】図１
2006340707.tif 000002
【特許請求の範囲】
【請求項１】
伸縮可能に形成された適宣長さを有するバーの先端に設けたクリップを介して、一枚又は複数枚のマーキングシートを両面に取替え可能に取り付け、雄犬が尿を排泄する際、着地前に採尿することを特徴とする犬用携帯小便具。
【発明の詳細な説明】
【技術分野】
【０００１】  本発明は犬の散歩及び外出途中の排尿であるマーキングを、着地前に採取するための携帯可能な小便具に関するものである。
【背景技術】
【０００２】  従来の汚物用具では、容器状の物と、ビニール袋等が有るが、雄犬の排尿は壁面の隙間で行われる習性をもっていた。この排尿を着地前採取する器具には、開閉する機構を備える必要があり、複雑な構造が必要となり、採尿するとき繁雑な動作を必要とされた。
【発明の開示】
【発明が解決しょうとする課題】
【０００３】  以上述べた従来の汚物処理具では、雄犬の排尿は壁面で行われるため戸外へ排泄前の飼い主による採取が難しかった。本発明は、犬の散歩の途中のマーキングにおける排尿を着地前に採尿可能とし、しかも素早く的確に犬の排尿に対応でき、戸外の樹木や電柱等を汚染させることのなく、シートを取替え取り付け可能にしたことを目的とするものである。
【課題を解決するための手段】
【０００４】  本発明に係る犬用携帯小便具は、伸縮可能に形成された適宣長さを有するのバーの先端に設けたクリップを介して一枚又は復数枚のマーキングシートを両面に取替え可能に取り付け雄犬の散歩の途中の尿を、排泄する際、着地前に採尿することを特徴とするものである。
【発明の効果】
【０００５】  本発明は雄犬の排尿を飼い主が面倒がらずにまた抵抗なく着地前に尿の処理をシートに簡単かつ清潔に行うことが出来る事によって衛生面の向上及び環境美化に奇与する。
【０００６】  また雌犬の場合には、排泄体勢に入る際シートを路面に置く事により、尿及び糞も採取が可能になる。
【０００７】  尿で汚れたシートは取り外し、手を汚す事無くそのままゴミ袋に入れ可燃ごみへ出し処理でき簡単便利かつ衛生的である。
【０００８】  又自宅での犬連れの来客の際事前に用意して置けば、家具や床などのマーキングを防ぐ事ができる。
【０００９】  又ペット同伴での外室の際、携帯する事で犬にオムツの負担を掛ける事無く、飼い主と犬の行動範囲も広がり便利である。
【００１０】  また排便の場合でもシートを犬の肛門の下に敷く事により糞及び軟便も処理でき、包み込めば臭いも防げ、手を汚すことなく自宅での処理も簡単便利で衛生的である。
【００１１】  しかも排尿体勢の犬の顔は横を向いているので犬の本能は達成したことになり、普段と変わらずマーキングが出来ストレスにならない。
【発明の実施するための最良の形態】
【００１２】  以下、本発明の実施の形態を添付図面を参照して説明する。図１は犬の排尿時の状態を示す略図であり、図２は、本発明に係る犬用携帯小便具を示すものである。
【００１３】  本発明に係る犬用携帯小便具は、図２に示すように、伸縮可能に形成された適宣長さのバー１と、このバー１の先端に設けられた、ヘッド６と、このヘッド６に設けられたクリップ８に取替え可能に取り付けられる一枚または複数枚のマーキングシート９とより形成される。
【００１４】  バー１は、図２および図３に示すように、グリップ２と複数本の中間部材３，４とが伸宿可能に形成され、犬種および犬の性格に応じた長さで使用するものである。
【００１５】  また、バー１は、携帯および収納の際はグリップ２に中間部材３，４を収納させて、グリップ２とほぼ同程度の長さにすることができる。
【００１６】  バー１の先端側に位置される中間部材４の先端とヘッド６には、回転可能な連結部５を介してクリップ８が設けられ、犬の排尿を的確に受け止められるように、その位置を変化させることができる。
【００１７】  本発明に係る犬用携帯小便具は、図３に示すように、ヘッド６に設けたクリップ８は、マーキングシート９を一枚又は複数枚両面にして、クリップ８を跨いで、着脱可能に取り付け使用するものである。
【００１８】  また、マーキングシート９は、図３に示すように、一枚または複数枚両面にして取り付け、雄犬が、排尿体勢に入った際、素早く犬の後ろ足と、壁面との隙間に素早く指し出し、排尿を着地前に採尿するものである。
【００１９】  マーキングシート９は、犬の排尿で汚れた際、クリップ８より取り外し、そのまま内側に折りたたみ、ゴミ袋に入れ、手を汚すことなく処理が完了する。
【００２０】  マーキングシート９は、複数枚取り付けてあるため、新たにマーキングシート９を追加することなく、目的がほぼ達成する。
【図面の簡単な説明】
【００２１】
【図１】犬用携帯小便具の使用状態を示す略図
【図２】同じく犬用携帯小便具を示す平面図
【図３】シートの取り付け状態を示す平面図
【図４】ホルダーの平面側を示す略図
【図５】同じくホルダーの底面側を示す略図
【符号の説明】
【００２２】  １  バー
２  グリップ
３  中間部材１
４  中間部材２
５  連結部
６  ヘッド
７  止め部
８  クリップ
９  シート
【図１】
2006340707.tif 000003
【図２】
2006340707.tif 000004
【図３】
2006340707.tif 000005
【図４】
2006340707.tif 000006
【図５】
2006340707.tif 000007
(57)【要約】      （修正有）【課題】ゴミになる種袋を利用して表示する表示具。【解決手段】種袋がおさまる四角形のプラスチック製で全体を設ける。これに紐掛け穴１を上部に設けて片側横に止め具３を設ける。逆片側横に蝶番５を設ける下部には刺し柱６にくぼみも設ける。中央部に設ける綴じ部４に明け綴じできるように設けて前の表示部に透明部２を設ける。土に刺し柱６をさして畑などに表示する。【選択図】図１
2006340705.tif 000002
【特許請求の範囲】
【請求項１】
種袋がおさまる形にしてプラスチックで設ける上部に紐掛け穴を設け下部に刺し柱を設ける片側横には互い違いにした止め具を設ける。片側横部は蝶番いを設けて明け綴じできるように設け前は種袋の表示部なので透明に設け刺し柱にくぼみを設けて、種袋を表示する種袋利用表示具。
【発明の詳細な説明】
【発明の詳細な説明】
この発明は種袋がおさまる形してプラスチックで設け紐掛け穴と刺し柱と止め具と蝶番と透明部を設けて明け綴じする種袋利用表示具にしたものである。従来は、使用済種袋はゴミになっていた。本発明はリサイクル精神をたかめる為にも構造したもでありこれを図面について説明すれば種袋がおさまる四角形のプラスチック製で全体を設ける。これに上部に１紐掛け穴を設け片側横に３止め具を互い違いに設け逆片側横に５蝶番を設け下部に６刺し柱にくぼみも設けそれぞれ中央部に設けるこれに４綴じ部に明け綴じできるように設け前の表示部に２透明部を設ける本体はなるべく薄く設ける。これに種袋を中に入れ表示して土に６刺し柱を刺せばそこに何がまかれてあるかわかる１紐掛け穴は紐で掛ける場合である６刺し柱のくぼみは針金で止める方法である。また本体はアクリル製木製などでもよく横から差し入れる方法もよく止め具なども安全ならば他の方法でも良い。
【図面の簡単な説明】
【図１】本発明の斜視図
【図２】本発明の使用斜視図
【符号の説明】
１は紐掛け穴  ２は透明部  ３は止め具  ４は綴じ  ５は蝶番  ６は刺し柱  ７は種袋
【図１】
2006340705.tif 000003
【図２】
2006340705.tif 000004
(57)【要約】 【課題】  履物の布地を傷めたり形崩れすることなく綺麗に洗浄できる履物洗濯ネットを提供する。【解決手段】  一端を開閉自在とした袋状のネット１の表側と裏側を一部繋ぎ止めて履物７が個々に収まる収容部２ａ、２ｂを形成した。ネットの一方の側の内側に起毛を設けると、優れた洗浄効果が得られる。【選択図】    図３
2006340775.tif 000002
【特許請求の範囲】
【請求項１】
一端を開閉自在とした袋状のネットの表側と裏側を一部繋ぎ留めて履物が個々に収まる複数の収容部を形成したことを特徴とする履物洗濯ネット。
【請求項２】
前記ネットの一方の側の内側に起毛を設けたことを特徴とする請求項１に記載の履物洗濯ネット。
【発明の詳細な説明】
【技術分野】
【０００１】
本発明は、洗濯機を利用してスリッパや運動靴等の履物を洗浄する際に用いる履物洗濯ネットに関するものである。
【背景技術】
【０００２】
従来、スリッパや運動靴等の汚れはブラシを使用して手洗いしていたが、手洗いは手間がかかり、且つ、汚れを綺麗に洗浄できないことから、最近では、これら履物類を袋状の扁平ネットに収容して洗濯機で洗浄することが行われている（特許文献１参照）。
【特許文献１】特開平９−２７１５９７号公報
【発明の開示】
【発明が解決しようとする課題】
【０００３】
しかしながら、履物類を大きなネット袋に無造作に収容して洗濯機に投入して洗濯すると、洗濯槽の攪拌作用によりネット袋内において履物が無造作に動き、相互に絡み合い擦られることにより、履物の布地を傷めたり形崩れしたりするという不都合があった。
【０００４】
本発明は、このような不都合に鑑み成されたもので、履物の布地を傷めたり形崩れすることなく綺麗に洗浄できる履物洗濯ネットを提供することを目的としている。
【課題を解決するための手段】
【０００５】
すなわち、請求項１に記載の本発明は、一端を開閉自在とした袋状のネットの表側と裏側を一部繋ぎ留めて履物が個々に収まる複数の収容部を形成したことを特徴としている。
【０００６】
また、請求項２に記載の本発明は、請求項１に記載の履物洗濯ネットにおいて、前記ネットの一方の側の内側に起毛を設けたことを特徴としている。
【発明の効果】
【０００７】
請求項１に記載の発明によれば、袋状のネットに履物が個々に収まる収容部を設けたので、洗濯中、履物はこの収納部内に無造作に動くことなく常にきちんと収容されているので、布地を傷めたり形崩れする不都合が回避できる。
また、請求項２に記載の発明によれば、ネットの内側に起毛を設けたので、この起毛によるブラッシング作用により、履物の汚れを掻き落とす十分な洗浄効果が得られると共に、起毛の柔軟性により、布地の傷みが防止される。
【発明を実施するための最良の形態】
【０００８】
以下、図面に基づいて本発明に係る履物洗濯ネットの実施形態を説明する。
図１は本実施形態の洗濯ネットの外観斜視図、図２は洗濯ネットの内部を示す斜視図、図３は洗濯ネットの裏面図、図４は洗濯ネットの使用状態を示す斜視図である。
【０００９】
図１、図２に示すように、履物洗濯ネット１（洗濯ネット１）は、生地の異なる２枚の布体を重ね合わせて扁平袋状に縫製したものであって、開口部にファスナー６を設けて開閉自在としている。
【００１０】
この洗濯ネット１は、表側１ａに通気性、通水性に優れる、例えば、ナイロン繊維やポリエステル繊維等などで成る粗い網目状の布地を用い、この布地の内側全面に網目状の基布４から内側に向けてループ状の起毛５（パイルが）形成されている。他方、裏側１ｂもナイロン繊維やポリエステル繊維等などで成る比較的目の細かい網目状の布地を用いている。
【００１１】
本実施形態では、図３に示すように、この洗濯ネット１の表側１ａと裏側１ｂの布地の中央部を縦方向（開口部から底部に向けて）に一部縫合し、この縫合部３により、扁平ネットを２つに区画することで、履物７（本実施形態ではスリッパ７）が個々に収まる左右２つの収容部２ａ、２ｂを形成している。尚、縫合は直線状の他、渦巻状、折り返し状、ジクザグ状等としても良い。
また、表側１ａと裏側１ｂの繋ぎ留めとして、上述の縫合による方法の他、リベットや面ファスナー（図示せず）等を用いることも可能である。
【００１２】
このような構造の洗濯ネット１を用いて、２組のスリッパ７を洗浄する場合は、先ず、図４に示すように、２組のスリッパ７、７をそれぞれ一対ずつ重ね合わせ、ネット開口部より各収納部２ａ、２ｂに収容する。この時、スリッパ７の表側が内側に起毛５を設けた洗濯ネット１の表側１ａに向くようにセットする。この状態でファスナー６を閉じることにより、各々スリッパ７、７は各収納部２ａ、２ｂにそれそれ縦方向に密な状態できちんと収容できる。
【００１３】
次ぎに、スリッパ７を収容した洗濯ネット１を洗濯機に入れて通常の洗濯動作を行う。この際、スリッパ７の底部が上を向くように入れると良い。
スリッパ７は各収納部２ａ、２ｂに密な状態で収容されているため、洗濯槽の攪拌作用による水流でスリッパ７がネット内で無造作に動いて相互に擦り合うことはなくなり、よって、スリッパ７の形崩れや布地の傷付きを大いに防止できるものである。
また、洗濯水が回転、反転を繰り返すことにより、その水流でスリッパ７の表面がネット内面の起毛５に接触して擦られ、そのブラッシング作用によりスリッパ７の表面に付着した汚れを掻き落とす。起毛５はループ状に形成されているから、ブラッシング作用は効果的に行われ、優れた洗浄効果が得られる。加えて、起毛５の奏する柔軟性は布地の傷付きを保護するように作用する。
【００１４】
以上、本実施形態の洗濯ネットは、スリッパの洗浄の他、運動靴等の洗浄に用いることも可能である。
【図面の簡単な説明】
【００１５】
【図１】本発明に係る洗濯ネットの外観斜視図。
【図２】同、洗濯ネットの内部を示す斜視図。
【図３】同、洗濯ネットの裏面を示す図
【図４】同、洗濯ネットの使用状態を示す斜視図。
【符号の説明】
【００１６】
１  履物洗濯ネット
２ａ、２ｂ  収容部
５  起毛
７  履物（スリッパ、運動靴）
【図１】
2006340775.tif 000003
【図２】
2006340775.tif 000004
【図３】
2006340775.tif 000005
【図４】
2006340775.tif 000006
(57)【要約】【課題】支持具および付属設備を必要とせずスムースな平面に直接取付けられる干し具を提供する。【解決手段】先端に吸盤をとりつけた三本の物干しアームを直接窓ガラスなどの平面に取り付け各アームの挿入穴に洗濯物ハンガーを吊るす三脚型物干し具。【選択図】図１
2006340742.tif 000002
【特許請求の範囲】
【請求項１】
三本のアームとその一端を収束する回動機能を有する結合構造および各アームの他端に取付けられた回動可能な吸盤により構成される三脚型物干し具。
【発明の詳細な説明】
【技術分野】
【０００１】
本発明は三本のアームを吸盤によって窓ガラス等の表面に装着し洗濯物を干すことを特徴とする物干し具に関するものである。
【背景技術】
【０００２】
カーテンレールを利用して窓際に取付ける物干し具があるがネジで固定しなければならずカーテンレールの形状により取付け不可能な場合がある（特許文献１参照）また物干し竿を掛けるために壁に支持具を取付ける必要がある（特許文献２参照）さらに窓枠に直接取付ける物干し具もある〈特許文献３参照〉。
【特許文献１】特許公開平１０−３２８４９１号公報
【特許文献２】特許公開２００２−２００４００号公報
【特許文献３】特許公開平６−１５０９５号公報
【発明の開示】
【発明が解決しようとする課題】
【０００３】
従来の考案は窓際に洗濯物を干すためにカーテンレール、窓枠などを利用して物干し具を設置するか、または壁面、天井などに物干し具を係止または設置するための支持具を必要とした。
【０００４】
取付けられた支持具や物干し具は常時設置されており取外しが困難で室内では美観を損ねるものである。
【課題を解決するための手段】
【０００５】
上記の課題を解決するため一端を結合された三本の物干しアームを回動可能な吸盤によって窓ガラスに直接着脱できるようにした。
【発明の効果】
【０００６】
本発明は壁面や窓枠に特別の支持具を設置することなくガラス窓に直接物干し具を取り付けて簡単に洗濯物を干すことが出来るようなった。
【０００７】
また窓枠の形状、壁や手摺、カーテンレールの構造、位置に関係なく物干し具を取付ける事ができる。
【０００８】
三脚型物干し具は窓ガラスの平面と三本のアームで形作られた四面体であるため構造的に強固でありステンレスチール、アルミ等の金属材料のほかプラスティック、木材等の軽量の材料でも製作可能である。
【０００９】
取外しが容易であり不要時には物干しアームを閉じることにより簡単に収納できる三脚型物干し具を提供する。
【発明を実施するための最良の形態】
【００１０】
本発明をプラスティックでできた三脚型物干し具（１０）に例をとり説明する。
【実施例１】
【００１１】
図１は本発明の一実施例であって二本の水平アーム（１１，１２）の長さは互いに等しく先端に回動可能な吸盤（２１，２２）が付いている。  縦アーム（１３）は先端に回動可能な吸盤が付いていて水平アーム（１１，１２）より長く水平アームを支える役目を果たす。  各アームには適当な間隔で洗濯ハンガーを差込むための挿入穴（５１）が開いている。
【００１２】
各アームの一端は結合機構（３０）に結合され結合部は自在に回動する事ができる。
【００１３】
二本の水平アーム（１１，１２）をＶ字型に開き吸盤を窓ガラス（６０）上部に吸着させる。水平アーム（１１，１２）より長い縦アーム（１３）を下方に伸ばし先端の吸盤を窓ガラス（６０）下部に吸着させ三本のアームが窓ガラス上に三角錐を形成するよう固定する。
【００１４】
縦アーム（１３）は水平アーム（１１，１２）を支えるよう固定し三本のアームの挿入穴（５１）に洗濯物ハンガーを吊るして洗濯物を干す三脚型物干し具である。  
【００１５】
三本のアームは収束しコンパクトに収納する事ができる。
【００１６】
各アームを伸縮構造にする事によりいっそうコンパクトに収納する事ができる。
【００１７】
吊下げて収納できるように結合機構に吊下げ部（４０）を付ける。
【実施例２】
【００１８】
図２は縦アーム（１３）がガラス窓下部に吸着不可能な場合の実施例で縦アームを床方向に垂直に下ろし二本の水平アームを支える事ようにする。
【図面の簡単な説明】
【００１９】
【図１】実施例１の斜視図
【図２】実施例２の斜視図
【符号の説明】
【００２０】
１０  本体
１１  水平アーム
１２  水平アーム
１３  縦アーム
２１  吸盤
２２  吸盤
２３  吸盤
３０  結合機構
４０  吊下げ部
５１  挿入穴
６０  窓ガラス
【図１】
2006340742.tif 000003
【図２】
2006340742.tif 000004
(57)【要約】【課題】本発明は、キャビネットの寸法は大きくすることなく、配線作業をしやすくする分電盤の構造を提供することを目的としている。【解決手段】本発明に係る分電盤は、ブレーカ４は取り付け装置６により基台３に固定され、取り付け装置６は、基台固定部６ａとブレーカ固定部６ｂとで構成されると共に、ブレーカ固定部６ｂは基台固定部６ａに蝶着され、回動動作により可動であり、分電盤１を壁面に取り付け通常の使用状態である場合には、取り付け装置６は基台３に平行に固定され、一方、分電盤１の配線作業中は、取り付け装置６のブレーカ固定部６ｂを跳ね上げた状態にし、ブレーカに傾斜をつけることを特徴とする。【選択図】図１
2006340412.tif 000002
【特許請求の範囲】
【請求項１】
主幹ブレーカや分岐ブレーカ等の電気機器を基台に配列して構成される分電盤であって、前記ブレーカは取り付け装置により前記基台に固定され、前記取り付け装置は、基台固定部とブレーカ固定部とで構成されると共に、前記ブレーカ固定部は前記基台固定部に蝶着され、回動動作により可動であり、分電盤を壁面に取り付け通常の使用状態である場合には、前記取り付け装置は前記基台に平行に固定され、一方、分電盤の配線作業中は、前記取り付け装置のブレーカ固定部を跳ね上げた状態にし、前記ブレーカに傾斜をつけることを特徴とする分電盤。
【発明の詳細な説明】
【技術分野】
【０００１】
本発明は、主幹ブレーカや分岐ブレーカ等の電気機器を基台に配列して構成される分電盤に関するものである。
【背景技術】
【０００２】
分電盤３１はキャビネット３２の基台３３に、ブレーカ３４等の電気機器を取り付けるための取り付け台３５を取り付ける。ブレーカ３４は基台３３の底面に平行に配置し、規格に定められている配線用寸法Ａを確保し、キャビネット３２の大きさを選定していた。
【０００３】
キャビネット３２は小さい方が設置場所の制約も少なくなり、また、製造コストも抑えることができるため、配線用寸法は規格を満足する最小値で形成していた。
【非特許文献１】２００５  カワムラ  総合カタログ  電設資材編  平成１７年５月１日発行
【発明の開示】
【発明が解決しようとする課題】
【０００４】
しかしながら、上記分電盤３１においては、配線用寸法Ａの規格値は満足していても、実際の配線作業の際には、回路数が増えるほど、作業がしにくいという欠点があった。また、作業性を向上させるためには規格値よりも大きく配線用寸法をとり、キャビネット３２を大きなものにしていた。
【課題を解決するための手段】
【０００５】
そこで本発明は、キャビネットの寸法を大きくすることなく、配線作業をしやすくする分電盤の構造を提供することを目的とし、その構造は、ブレーカは取り付け装置により基台に固定され、取り付け装置は、基台固定部とブレーカ固定部とで構成されると共に、ブレーカ固定部は基台固定部に蝶着され、回動動作により可動であり、分電盤を壁面に取り付け通常の使用状態である場合には、取り付け装置は基台に平行に固定され、一方、分電盤の配線作業中は、取り付け装置のブレーカ固定部を跳ね上げた状態にし、ブレーカに傾斜をつけることを特徴とする。
【発明の効果】
【０００６】
本発明に係る分電盤は、ブレーカは取り付け装置により基台に固定され、取り付け装置は、基台固定部とブレーカ固定部とで構成されると共に、ブレーカ固定部は基台固定部に蝶着され、回動動作により可動であり、分電盤を壁面に取り付け通常の使用状態である場合には、取り付け装置は基台に平行に固定され、一方、分電盤の配線作業中は、取り付け装置のブレーカ固定部を跳ね上げた状態にし、ブレーカに傾斜をつけるため、配線用寸法の規格値は満足した状態で、ブレーカの寸法も変えず、配線作業のときには配線用寸法を広くとることができると共に、キャビネットの大きさは抑えて製作できる。作業性が向上すると共に、キャビネットを小さく抑えることができるので製造コストも抑えることができる。取り付け場所も従来キャビネットの大きさが制約となって設置できなかったところにも取り付けが可能になる。
【発明を実施するための最良の形態】
【０００７】
本発明は、配線用寸法を広く確保するという目的を、キャビネットやブレーカの寸法を変えることなく実現した。
【実施例１】
【０００８】
本発明に係る分電盤の実施例を図１に示す添付図面に基づいて説明する。
【０００９】
分電盤１は、キャビネット２の基台３に主幹ブレーカや分岐ブレーカ４等の電気機器を配列し、電気機器間は導電バー５等で接続して構成される。
【００１０】
分電盤１のキャビネット２は、電気機器を配列し、規格に定められている配線用寸法を満足するような大きさのものを選定する。
【００１１】
基台３の底面に電気機器を固定するための取り付け装置６を設ける。取り付け装置６は基台固定部６ａとブレーカ固定部６ｂとで構成し、基台固定部６ａにブレーカ固定部６ｂを蝶着し、回動動作により可動である。
【００１２】
通常、分岐ブレーカ４はキャビネット２の底面に水平に取り付ける。取り付け装置６の基台固定部６ａを基台３に固定し、基台固定部６ａに蝶着されたブレーカ固定部６ｂに導電バー５と分岐ブレーカ４とを取り付ける。分岐ブレーカ４への配線作業の際には、ブレーカ固定部６ｂを回動し、ブレーカ固定部６ｂを跳ね上げた状態で分岐ブレーカ４の負荷側の端子部７が上方へ向くようにする。端子部７が上方に向くことによって、キャビネット２の基台３の側面部を超えた位置で配線作業が行えるため、作業性が向上する。配線作業が終了したときに、ブレーカ固定部６ｂを元の位置に戻し、固定する。
【実施例２】
【００１３】
ブレーカ固定部は基台固定部に蝶着される。ブレーカ固定部と基台固定部との接点近傍に係合機能を設け、配線作業の際にはブレーカ固定部を回動し負荷側の端子部を上方へ向けたとき、負荷側の端子部が上方を向いた状態で分岐ブレーカの傾斜位置を維持し、作業中、手でブレーカを持ち上げていなくても良い。
【実施例３】
【００１４】
ブレーカ固定部は基台固定部に蝶着される。ブレーカ固定部はばね等を用いて上方へ付勢し、ブレーカを取り付け装置に装着したときには、負荷側の端子部が上方を向いた状態でブレーカの傾斜位置を維持し、作業中、手でブレーカを持ち上げていなくても良い。作業が終了したときに負荷側の端子部側を押さえ固定する。
【産業上の利用可能性】
【００１５】
分電盤に配置される分岐ブレーカを配線作業中には傾斜をつけ、基台の側面部を超えた部分で作業が行えるようにすることによって、作業性を向上させながらも、分電盤のキャビネットは最小の配線用寸法であるので分電盤の取り付け面積に制約がある場合にも適用できる。
【図面の簡単な説明】
【００１６】
【図１】分電盤の実施例を示す説明図である。（実施例１）
【図２】分電盤の従来例を示す説明図である。
【符号の説明】
【００１７】
１    分電盤
２    キャビネット
３    基台
４    分岐ブレーカ
５    導電バー
６    機器取り付け装置
６ａ  基台固定部
６ｂ  ブレーカ固定部
７    端子部
【図１】
2006340412.tif 000003
【図２】
2006340412.tif 000004